(57)【要約】【課題】プラグが接続された端子を除く他の端子に他のプラグが接続されて、電子機器装置が誤動作したり、他の端子に使用者が触わり、使用者が感電してしまうという課題がある。【解決手段】筐体２の側面と背面に設けられた開口部１２，１３と、それぞれの開口部に対向する位置に設けられた電源端子３１，３３と、開口部１２，１３のうち、一つの開口部を除く他の開口部を遮蔽する遮蔽部と、を備える電子機器装置を提供する。【選択図】図２
2009224088.tif 000002
【特許請求の範囲】
【請求項１】
筐体の複数の面に設けられた複数の開口部と、
それぞれの前記開口部に対向する位置に設けられた端子と、
前記複数の開口部のうち、一つの開口部を開口させ、前記一つの開口部を除く他の開口部を遮蔽する遮蔽部と、を備えることを特徴とする電子機器装置。
【請求項２】
請求項１に記載の電子機器装置であって、
前記遮蔽部には、スライドする遮蔽板が備えられることを特徴とする電子機器装置。
【請求項３】
請求項１に記載の電子機器装置であって、
前記遮蔽部には、回転する遮蔽板が備えられることを特徴とする電子機器装置。
【請求項４】
請求項２に記載の電子機器装置であって、
前記遮蔽板には、一つの開口部が備えられることを特徴とする電子機器装置。
【請求項５】
請求項１から請求項４までのいずれか一項に記載の電子機器装置であって、
前記端子は電源が供給される電源端子であることを特徴とする電子機器装置。
【発明の詳細な説明】
【技術分野】
【０００１】
本発明は、電子機器装置に関する。
【背景技術】
【０００２】
プリンタやコピ−などの画像形成装置や、プロジェクタなどの投射型表示装置などの電子機器装置には、電源が供給される電源端子や、他の機器から信号が入力される入力端子や、他の機器に信号を出力する出力端子などの端子が筐体に備えられる。一つの電源端子、一つの出力端子、一つの入力端子が筐体の一つの面のみに備えられていると、当該面が壁面などに近接している場合には、プラグの接続作業や離脱作業が困難になる場合がある。また、端子と、コンセントとの位置関係によっては、プラグに接続するケーブルが筐体の周囲を回るようにして、プラグを端子に接続する場合がある。このような場合には、引き回されるケーブルが邪魔になったり、室内の美観を損ねたりすることがある。
そこで、例えば、特許文献１では、筐体の複数の面に、端子を取り付けることを提案している。さらに、特許文献１では、一つの端子にプラグが接続されているとき、他の端子に他のプラグが接続されることによる誤動作や、他の端子に使用者が触れることによる感電などを防止するため、他の端子を覆うカバー部が記載されている。
【０００３】
【特許文献１】特開２００７−２３３０２８号公報
【発明の開示】
【発明が解決しようとする課題】
【０００４】
しかしながら、特許文献１では、使用者がカバー部を取り付けなかった場合には、プラグが接続された端子を除く他の端子に他のプラグが接続されて、電子機器装置が誤動作したり、プラグが接続されていない他の端子に使用者が触わり、使用者が感電してしまうという課題がある。
【課題を解決するための手段】
【０００５】
本発明は、上記課題の一部を解決するためになされたものであり、以下の形態または適用例として実現することが可能である。
【０００６】
［適用例１］筐体の複数の面に設けられた複数の開口部と、それぞれの前記開口部に対向する位置に設けられた端子と、前記複数の開口部のうち、一つの開口部を開口させ、前記一つの開口部を除く他の開口部を遮蔽する遮蔽部と、を備えることを特徴とする電子機器装置。
【０００７】
この構成によれば、複数の開口部のうち、一つの開口部を開口させ、一つの開口部を除く他の開口部を遮蔽する遮蔽部を備える。これにより、一つの開口された開口部に対向する位置にある端子にプラグが接続されているとき、他の開口部が遮蔽されるので、他の開口部に対向する位置にある端子に他のプラグが接続されたり、使用者が触れることがない。従って、電子機器装置が誤動作することを防止したり、使用者が感電することを防止したりすることができる。
【０００８】
［適用例２］前記遮蔽部には、スライドする遮蔽板が備えられることを特徴とする上記電子機器装置。
【０００９】
この構成によれば、遮蔽板がスライドし、静止した位置によって、複数の開口部のうちの一つの開口部を開口させ、その他の開口部を遮蔽させることができる。
【００１０】
［適用例３］前記遮蔽部には、回転する遮蔽板が備えられることを特徴とする上記電子機器装置。
【００１１】
この構成によれば、遮蔽板が回転し、静止した位置によって、複数の開口部のうちの一つの開口部を開口させ、その他の開口部を遮蔽させることができる。
【００１２】
［適用例４］前記遮蔽板には、一つの開口部が備えられることを特徴とする上記電子機器装置。
【００１３】
この構成によれば、筐体に設けられた一つの開口部と、遮蔽板に設けられた一つの開口部とを対向する位置にさせることができる。これにより、複数の開口部のうちの一つの開口部を開口させ、その他の開口部を遮蔽させることができる。
【００１４】
［適用例５］前記端子は電源が供給される電源端子であることを特徴とする上記電子機器装置。
この構成によれば、使用者が電源端子に触れて感電することを防止できる。
【発明を実施するための最良の形態】
【００１５】
以下、本発明を具体化した実施例について図面に従って説明する。
（第１実施例）
図１は、電子機器装置の一例である画像形成装置としてのプリンタ１の外観斜視図である。キャリッジモータ８はタイミングベルト４を駆動する。キャリッジ１１は、タイミングベルト４に固定され、筐体２に固定されたガイド軸３に沿って図面左右方向に往復移動する。キャリッジ１１には、インクカートリッジ（モノクロ）６、インクカートリッジ（カラー）７が搭載されている。
【００１６】
媒体としての紙Ｓは、紙送りモータ９と図示しない紙送り機構によって、プラテン１０上を搬送される。
【００１７】
図１のキャリッジ１１の下部には、ヘッド（不図示）が備えられている。ヘッドには、各ノズルに対応して圧電素子（不図示）が備えられている。プリンタ１は、フレキシブルケーブル５を介して回路基板（不図示）からの制御信号により、圧電素子を駆動してモノクロインク、カラーインク（イエロー、マゼンタ、シアン）をヘッドから噴射させることができる。プリンタ１は、紙Ｓの搬送とキャリッジ１１の往復移動とを繰り返し、ヘッドからインクを噴射させて紙Ｓに画像を形成することができる。
【００１８】
図面左側下部の筐体２の背面には、筐体２を貫通する開口部１２が設けられている。図面左側下部の筐体２の側面には、筐体２を貫通する開口部１３が設けられている。
【００１９】
図２は、スライドする遮蔽板が設けられた部分の外観斜視図である。上述したように、筐体２の側面には、開口部１３が設けられ、筐体２の背面には、開口部１２が設けられている。
【００２０】
本実施例における遮蔽部としての遮蔽板２０と遮蔽板２２とは、連結板２１を介して、蝶番２３，２４によって連結される。遮蔽板２０は、筐体２の内側に固定された支持部材２５，２６と筐体２によって形成された溝部に沿って、Ｄ１またはＤ２の方向にスライドすることができる。遮蔽板２２は、筐体２の内側に固定された支持部材２７，２８と筐体２によって形成された溝部に沿って、Ｄ３またはＤ４の方向にスライドすることができる。
【００２１】
連結された遮蔽板２０，２２をスライドさせることによって、開口部１２，１３のうち、一方を開口させると他方は閉じさせることができる。具体的には、以下のような動作となる。
【００２２】
取っ手２９は、遮蔽板２２の外側の開口部１３の開口範囲に固定されている。使用者が、開口部１３側から取っ手２９をつまみながら、遮蔽板２２をＤ３またはＤ４の方向にスライドさせることができる。遮蔽板２２をスライドさせると、蝶番２３，２４、連結板２１によって連結された遮蔽板２０が、Ｄ１またはＤ２の方向にスライドする。
【００２３】
取っ手３０は、遮蔽板２０の外側の開口部１２の開口範囲に固定されている。使用者が、開口部１２側から取っ手３０をつまみながら、遮蔽板２０をＤ１またはＤ２の方向にスライドさせることができる。遮蔽板２０をスライドさせると、蝶番２３，２４、連結板２１によって連結された遮蔽板２２が、Ｄ３またはＤ４の方向にスライドする。
【００２４】
このように、遮蔽板２２をスライドさせて開口部１３を開口させると、開口部１２は閉じて遮蔽される。反対に、遮蔽板２０をスライドさせて開口部１２を開口させると、開口部１３は閉じて遮蔽される。
【００２５】
図２に示すように、ソケット３４に備えられた電源端子３３は、開口部１３に対向する位置に設けられている。また、ソケット３２に備えられた電源端子３１は、開口部１２に対向する位置に設けられている。電源端子３１と電源端子３３とは、導通されており、どちらか一方の電源端子にプラグ（不図示）が接続されると、他方の電源端子にも電源電圧がかかる。
【００２６】
電源端子３１，３３のうち、一方の電源端子に、プラグが接続されていると、他方の電源端子が対向する位置にある開口部が閉じているので、他のプラグを他方の電源端子に接続することはできない。
【００２７】
具体的には、プラグを、開口部１３を通り、電源端子３３に接続した状態では、遮蔽板２２をＤ３の方向にスライドさせることができない。従って、遮蔽板２２に連結された遮蔽板２０もＤ１の方向にスライドできないので、開口部１２は開口することができない。
【００２８】
反対に、プラグを、開口部１２を通り、電源端子３１に接続した状態では、遮蔽板２０をＤ２の方向にスライドさせることができない。従って、遮蔽板２０に連結された遮蔽板２２もＤ４の方向にスライドできないので、開口部１３は開口することができない。
【００２９】
本実施例における遮蔽部は、遮蔽板２０，２２、連結板２１、蝶番２３，２４、支持部材２５，２６，２７，２８、取っ手２９，３０から構成される。
【００３０】
以上、本実施例で説明したプリンタ１は、筐体２の側面と背面に設けられた開口部１２，１３と、それぞれの開口部に対向する位置に設けられた電源端子３１，３３と、開口部１２，１３のうち、一つの開口部を除く他の開口部を遮蔽する遮蔽部と、を備えている。
【００３１】
この構成によれば、開口部１２，１３のうち、一つの開口部に対向する位置にある電源端子にプラグが接続されているとき、他の開口部が遮蔽されるので、他の開口部に対向する位置にある電源端子に他のプラグが接続されたり、使用者が触れることがない。従って、プリンタ１が誤動作することを防止したり、使用者が感電することを防止したりすることができる。
【００３２】
また、遮蔽部には、スライドする遮蔽部としての遮蔽板２０，２２が備えられる。
【００３３】
この構成によれば、遮蔽板２０，２２がスライドし、静止した位置によって、開口部１２，１３のうちの一つの開口部を開口させ、その他の開口部を遮蔽させることができる。これにより、画像形成装置としてのプリンタ１が誤動作することを防止したり、プラグが接続されていない電源端子に、使用者が触れて感電することを防止したりすることができる。
【００３４】
本実施例では、遮蔽部として、連結板２１を介して蝶番２３，２４によって連結された遮蔽板２０，２２を用いて説明したが、直角方向に曲がることができる弾力性のある１枚の板状の遮蔽板を用いてもよい。
【００３５】
（第２実施例）
第１実施例では、遮蔽部としてスライドする遮蔽板２０，２２を用いた場合について説明したが、第２実施例では、遮蔽部として回転する遮蔽板を用いた場合について説明する。本実施例の画像形成装置としてのプリンタは、第１実施のプリンタ１とは遮蔽部が異なるが、他の構成は同じである。
【００３６】
図３は、第２実施例のプリンタ１ａにおける回転する遮蔽板４０が設けられた部分の外観斜視図である。図３に示すように、筐体２の角部で、開口部１２，１３の中央付近に、遮蔽板４０を支持する支持部材４１が備えられる。支持部材４１を中心としてＤ５の方向に遮蔽板４０が回転する。開口部１３に当接する位置にあるとき、開口部１３は遮蔽板４０によって遮蔽される。開口部１２に当接する位置にあるとき、開口部１２は遮蔽板４０によって遮蔽される。
【００３７】
開口部１２，１３のうち、一方の開口部に対向する位置にある電源端子にプラグが接続されているとき、他方の開口部は遮蔽される。図４（ａ）は、第２実施例のプリンタ１ａにおいて、遮蔽板４０が設けられた部分の平面図である。プラグ５０が開口部１３を貫通し、電源端子３３に接続するとき、遮蔽板４０は開口部１２を遮蔽する位置にある。遮蔽板４０はプラグ５０に当接するので、他のプラグが開口部１２を貫通して、電源端子３１に接続することはできない。
【００３８】
図４（ｂ）は、第２実施例のプリンタ１ａにおいて、遮蔽板４０が設けられた部分の平面図である。プラグ５０が開口部１２を貫通し、電源端子３１に接続するとき、遮蔽板４０は開口部１３を遮蔽する位置にある。遮蔽板４０はプラグ５０に当接するので、他のプラグが開口部１３を貫通して、電源端子３３に接続することはできない。
【００３９】
本実施例の遮蔽部は、遮蔽板４０、支持部材４１から構成される。
【００４０】
以上説明した本実施例の画像形成装置としてのプリンタ１ａは、遮蔽部には、回転する遮蔽部としての遮蔽板４０が備えられる。
【００４１】
この構成によれば、遮蔽板４０が回転し、静止した位置によって、開口部１２，１３のうちの一つの開口部を開口させ、その他の開口部を遮蔽させることができる。これにより、画像形成装置としてのプリンタ１ａが誤動作することを防止したり、プラグが接続されていない電源端子に、使用者が触れて感電することを防止したりすることができる。
【００４２】
（第３実施例）
第３実施例では、遮蔽部としての遮蔽板に一つの開口部を備えた場合について説明する。
【００４３】
図５（ａ）は、第３実施例のプリンタ１ｂを上から見た底部の平面図である。図面上側がプリンタ１ｂの正面になる。筐体２ｂには、図１に示したように、開口部１２，１３が設けられている。さらに、第３実施例のプリンタ１ｂの筐体正面には、開口部１２，１３と同じ高さの位置に開口部１４が設けられている。
【００４４】
電源端子３１，３３，３５は、開口部１２，１３，１４にそれぞれ対向する位置に設けられる。電源端子３１，３３，３５は、導通しているので、電源端子３１，３３，３５のうちのいずれか一つの電源端子に、プラグが接続されると、その他の電源端子にも電源電圧がかかる。
【００４５】
図６は、遮蔽板６０の外観斜視図である。遮蔽板６０には、一つの開口部６１と、取っ手６２とが設けられている。遮蔽板６０は、弾力性があり、直角方向に曲がることができる１枚の板状の材質から形成される。
【００４６】
筐体２ｂの底面には、幅の長さが遮蔽板６０とほぼ同じである板状のガイド板６３，６４，６５が固定されている。ガイド板６３，６４，６５は、筐体２ｂの正面、側面（図面右側）、背面の面にそれぞれ平行に備えられる。遮蔽板６０は、筐体２ｂの内側の面とガイド板６３，６４，６５の外側の面との間を通路として、スライドすることができる。
【００４７】
図５（ａ）は、遮蔽板６０に設けられた開口部６１が、開口部１２に対向する位置にあることを示す。遮蔽板６０が、このような位置にあるとき、開口部１２は開口しているので、開口部１２に対向する位置にある電源端子３１に、プラグを接続することができる。開口部１３，１４に対向する位置にある電源端子３３，３５には、遮蔽板６０によって開口部１３，１４が遮蔽されるので、プラグを接続することができない。
【００４８】
図５（ｂ）は、第３実施例のプリンタ１ｂを上から見た底部の平面図である。図５（ｂ）は、遮蔽板６０に設けられた開口部６１が、開口部１４に対向する位置にあることを示す。遮蔽板６０が、このような位置にあるとき、開口部１４は開口しているので、開口部１４に対向する位置にある電源端子３５に、プラグを接続することができる。開口部１２，１３に対向する位置にある電源端子３１，３３には、遮蔽板６０によって開口部１２，１３が遮蔽されるので、プラグを接続することができない。
【００４９】
図７は、第３実施例におけるプリンタ１ｂの背面からの立面図である。プリンタ１ｂの筐体２ｂの背面には、筐体２ｂを貫通する図面左右方向に長い溝部６６が形成されている。取っ手６２（図６参照）は、溝部６６から筐体２の外側に突出している。使用者は、溝部６６の長手方向に沿って、取っ手６２を図面左右方向にスライドさせ、遮蔽板６０を、上述した図５（ａ）に示す位置や図５（ｂ）に示す位置に置くことができる。
【００５０】
以上説明した本実施例のプリンタ１ｂは、遮蔽板に一つの開口部を備える。この構成によれば、筐体２ｂに設けられた開口部１２，１３，１４のうちの一つの開口部と、遮蔽板６０に設けられた一つの開口部６１とを対向する位置にさせることができる。これにより、開口部１２，１３，１４のうちの一つの開口部を開口させ、その他の開口部を遮蔽させることができる。そのため、開口された一つの開口部に対向する位置にある電源端子に接続されたプラグとは異なる他のプラグが他の開口部に接続されることがない。従って、第３実施例のプリンタ１ｂが誤動作することを防止できる。さらに、他の開口部に対向する位置にある電源端子が遮蔽されるので、使用者が、プラグが接続されていない電源端子に触れて感電することを防止できる。
【００５１】
第１実施例から第３実施例では、電子機器装置の一例である画像形成装置としてのプリンタ１，１ａ，１ｂを用いて説明したが、以下に説明するスクリーンなどの媒体に映像を投写して表示する投写型表示装置としてのプロジェクタであってもよい。
【００５２】
図８は、投写型表示装置としてのプロジェクタ１００の外観斜視図である。プロジェクタ１００は、その本体が筐体１０２で覆われた構成を有しており筐体１０２の前面には、前方に備えられる図示しないスクリーンなどに対して映像（光学像）を投写することが可能な投写レンズ１０１が露出している。筐体１０２の上面には、操作部１０３が設けられている。操作部１０３は、電源のオン・オフを行うための電源キーや、投写映像上にメニュー画像を合成表示するためのメニューキー、入力ソースを切り換えるためのソースキーなど、複数のキーを備えており、使用者は、操作部１０３上の各キーを操作することにより、プロジェクタ１００に対して各種指示を行うことができる。
【００５３】
また、第１実施例から第３実施例では、プリンタ１，１ａ，１ｂに電源を供給する電源端子３１，３３，３５について説明したが、信号を入力する入力端子や、信号を出力する出力端子であってもよい。
【図面の簡単な説明】
【００５４】
【図１】第１実施例における画像形成装置としてのプリンタの外観斜視図。
【図２】スライドする遮蔽板が設けられた部分の外観斜視図。
【図３】第２実施例における回転する遮蔽板が設けられた部分の外観斜視図。
【図４】（ａ）、（ｂ）は、第２実施例における回転する遮蔽板が設けられた部分の平面図。
【図５】（ａ）、（ｂ）は、第３実施例のプリンタの底部の平面図。
【図６】第３実施例における遮蔽板の外観斜視図。
【図７】プリンタの背面からの立面図。
【図８】投写型表示装置としてのプロジェクタの外観斜視図。
【符号の説明】
【００５５】
１，１ａ，１ｂ…プリンタ、２…プリンタの筐体、１２，１３，１４…筐体に設けられた開口部、２０，２２，４０，６０…遮蔽板、２１…連結板、２３，２４…蝶番、４１…支持部材、３１，３３，３５…電源端子、６１…遮蔽板に設けられた開口部、１００…プロジェクタ、１０２…プロジェクタの筐体。
【図１】
2009224088.tif 000003
【図２】
2009224088.tif 000004
【図３】
2009224088.tif 000005
【図４】
2009224088.tif 000006
【図５】
2009224088.tif 000007
【図６】
2009224088.tif 000008
【図７】
2009224088.tif 000009
【図８】
2009224088.tif 000010